(57)【特許請求の範囲】
【請求項１】
複数の主筋と、これらの主筋のパネル表裏面両側において主筋と直交するように設けられ複数の第１の副筋及びこれらの第１の副筋にそれぞれ直交するように設けられた複数の第２の副筋を有するメッシュ筋と、前記第１の副筋及び前記第２の副筋にそれぞれ交差するように前記メッシュ筋に設けられた複数の線状補強部材とを備え、前記主筋は互いに所定間隔離れて配置されたフラットバーであり、前記線状補強部材は、前記メッシュ筋と同じ金属棒から形成されるものであって、パネルコーナ部にそれぞれ設けられ、前記線状補強部材が予め格子状かつ略三角形状に結合されてコーナ部用格子部材を構成し、このコーナ部用格子部材は、その頂点がパネルコーナ部の角に一致し、その斜辺がパネル外周縁と一致し、かつ、その底辺が格子部材を構成する一群の線状補強部材と平行となるように、前記メッシュ筋に設けられたことを特徴とする軽量気泡コンクリート製外壁パネルの配筋構造。
【請求項２】
複数の主筋と、これらの主筋のパネル表裏面両側において主筋と直交するように設けられ複数の第１の副筋及びこれらの第１の副筋にそれぞれ直交するように設けられた複数の第２の副筋を有するメッシュ筋と、前記第１の副筋及び前記第２の副筋にそれぞれ交差するように前記メッシュ筋に設けられた複数の線状補強部材とを備え、その中央部にパネル開口部が形成され、前記主筋は長方形を形成する複数のフラットバーと、パネル開口部を形成するためのフラットバーとを有し、前記線状補強部材は、前記メッシュ筋と同じ金属棒から形成されるものであって、前記パネル開口部周縁とパネルコーナ部とにそれぞれ設けられ、かつ、前記線状補強部材が予め格子状に結合されて開口部用格子部材とコーナ部用格子部材とを構成し、これらのうち開口部用格子部材は前記メッシュ筋に設けられ、コーナ部用格子部材は、略三角形状に形成されるものであって、その頂点がパネルコーナ部の角に一致し、その斜辺がパネル外周縁と一致し、かつ、その底辺が格子部材を構成する一群の線状補強部材と平行となるように、前記メッシュ筋に設けられたことを特徴とする軽量気泡コンクリート製外壁パネルの配筋構造。
【発明の詳細な説明】
【０００１】
【発明の属する技術分野】
本発明はユニット式建物等において使用される軽量気泡コンクリート製外壁パネルの配筋構造に関するものである。
【０００２】
【背景技術】
ＡＬＣ等からなる軽量気泡コンクリート製パネルは、耐熱性、遮音性等の点で優れているので、外壁材として多く利用されている。
この軽量気泡コンクリート製外壁パネルは配筋を備えており、従来の配筋構造は、アングル材やフラットバー等からなる主筋のパネル表裏面両側においてメッシュ筋が設けられた構造であり、このメッシュ筋は、主筋に直交するように設けられた複数の第１の副筋と、これらの第１の副筋にそれぞれ直交するように設けられた複数の第２の副筋とから構成されている。
【０００３】
【発明が解決しようとする課題】
軽量気泡コンクリート製外壁パネルは、建物に設置された場合は勿論のこと、トラック等による搬送時、柱等への取付時に、例えば、パネル外縁部等が破損しないようにするため、所定の強度を有する。従来の配筋構造は、主筋の両側にメッシュ筋を取り付けた構造であるため、コンクリート自体の強度は十分であるが、従来より、今まで以上に強度が大きい軽量気泡コンクリート製外壁パネルが望まれている。
【０００４】
本発明の目的は、今まで以上に強度を大きくすることができる軽量気泡コンクリート製外壁パネルの配筋構造を提供することにある。
【０００５】
【課題を解決するための手段】
そのため、本発明は、主筋のパネル表裏面両側に設けられたメッシュ筋に複数の線状補強部材を設けて前記目的を達成しようとするものである。
具体的には、本発明の軽量気泡コンクリート製外壁パネルは、複数の主筋と、これらの主筋のパネル表裏面両側において主筋と直交するように設けられ複数の第１の副筋及びこれらの第１の副筋にそれぞれ直交するように設けられた複数の第２の副筋を有するメッシュ筋と、前記第１の副筋及び前記第２の副筋にそれぞれ交差するように前記メッシュ筋に設けられた複数の線状補強部材とを備え、前記主筋は互いに所定間隔離れて配置されたフラットバーであり、前記線状補強部材は、前記メッシュ筋と同じ金属棒から形成されるものであって、パネルコーナ部にそれぞれ設けられ、前記線状補強部材が予め格子状かつ略三角形状に結合されてコーナ部用格子部材を構成し、このコーナ部用格子部材は、その頂点がパネルコーナ部の角に一致し、その斜辺がパネル外周縁と一致し、かつ、その底辺が格子部材を構成する一群の線状補強部材と平行となるように、前記メッシュ筋に設けられたことを特徴とする。
また、本発明の軽量気泡コンクリート製パネルは、複数の主筋と、これらの主筋のパネル表裏面両側において主筋と直交するように設けられ複数の第１の副筋及びこれらの第１の副筋にそれぞれ直交するように設けられた複数の第２の副筋を有するメッシュ筋と、前記第１の副筋及び前記第２の副筋にそれぞれ交差するように前記メッシュ筋に設けられた複数の線状補強部材とを備え、その中央部にパネル開口部が形成され、前記主筋は長方形を形成する複数のフラットバーと、パネル開口部を形成するためのフラットバーとを有し、前記線状補強部材は、前記メッシュ筋と同じ金属棒から形成されるものであって、前記パネル開口部周縁とパネルコーナ部とにそれぞれ設けられ、かつ、前記線状補強部材が予め格子状に結合されて開口部用格子部材とコーナ部用格子部材とを構成し、これらのうち開口部用格子部材は前記メッシュ筋に設けられ、コーナ部用格子部材は、略三角形状に形成されるものであって、その頂点がパネルコーナ部の角に一致し、その斜辺がパネル外周縁と一致し、かつ、その底辺が格子部材を構成する一群の線状補強部材と平行となるように、前記メッシュ筋に設けられたことを特徴とする。
【０００６】
本発明では、主筋のパネル表裏面両側において第１及び第２の副筋を有するメッシュ筋を溶接等で取り付け、このメッシュ筋に線状補強部材を溶接等で取り付けて配筋を製造する。この配筋を型枠内に配置し、この型枠にコンクリートスラリーを打設し、養生後、内部に配筋が設けられたパネルを離型し、オートクレーブする。
このように製造された軽量気泡コンクリート製外壁パネルでは、メッシュ筋に線状補強部材を設けたから、従来に比べてパネル自体の強度を一層大きなものにできる。
【０００７】
本発明では、前記線状補強部材をパネルコーナ部に設けた構造とした。この場合、例えば、パネルを搬送するに際し、仮に、パネルの外縁部がトラックや他の建築資材に衝突する等して必要以上に衝撃力が加わることがあっても、パネル外縁部の破損をより効果的に防止することができる。
また、パネルに開口部が設けられる際に、パネル開口部周縁に線状補強部材を設けた構造とすれば、パネル開口部に窓枠等を取り付ける際に、仮に、パネル開口部周縁に必要以上に衝撃力が加わっても、パネル周縁部の破損をより効果的に防止することができる。
【０００８】
また、線状補強部材が予め格子状に結合されて格子部材を構成し、この格子部材がメッシュ筋に設けられた構造であるため、線状補強部材のメッシュ筋への接合作業が容易となる。
さらに、線状補強部材を金属棒から構成したので、メッシュ筋を構成する副筋も金属棒から格子状に形成されているので、メッシュ筋と線状補強部材との間で材料の共通化を図ることができる。
【０００９】
【発明の実施の形態】
以下、本発明の実施の形態を図面に基づいて詳細に説明する。ここで、各実施の形態中、同一構成要素は同一符号を付して説明を省略もしくは簡略にする。
図１から図３には本発明の第１の実施の形態が示されている。
全体構成を示す図１及び図２において、軽量気泡コンクリート製外壁パネル１の内部には配筋２が設けられており、この配筋２は、複数の主筋３と、これらの主筋３のパネル表裏面両側において設けられたメッシュ筋４と、これらのメッシュ筋４のパネル外縁部１Ａ、具体的には、８か所のパネルコーナ部１Ｂにそれぞれ設けられた格子部材５とを備えて構成されている。
【００１０】
主筋３は金属製のフラットバーから構成され、このフラットバーは互いに所定間隔離れて３本平行に配置されている。なお、第１の実施の形態では、主筋３の数は３本に限定されるものではなく、２本あるいは４本以上であってもよく、また、フラットバーに代えてアングル材を用いてもよい。
メッシュ筋４は、主筋３と直交するように設けられた複数の第１の副筋６と、これらの第１の副筋６にそれぞれ直交するように（主筋３と平行に）設けられた複数の第２の副筋７とから構成されている。これらの副筋６，７は、それぞれ金属棒から形成されている。
第１の副筋６は主筋３を挟んで互いに対向配置されており、第２の副筋７は主筋３及び第１の副筋６を挟んで互いに対向配置されている。
【００１１】
格子部材５は、第１及び第２の線状補強部材８，９を予め格子状に結合して略三角形状に形成したものであり、その角部はメッシュ筋４のパネルコーナ部１Ｂに合うようにされている（図１参照）。なお、第１の実施の形態では、格子部材５の配置位置は、パネルコーナ部１Ｂに限定されるものではなく、パネル外縁部１Ａに線状に形成するものでもよい。
これらの線状補強部材８，９は、メッシュ筋４を構成する副筋６，７と同じ金属棒から形成され、かつ、それぞれ第１の副筋６及び第２の副筋７にそれぞれ角度４５度をもって交差するようにメッシュ筋４に設けられている。
図３に示される通り、第１の線状補強部材８はメッシュ筋４側に配置され、第２の線状補強部材９はパネルの外側に配置されている。
【００１２】
この構成の軽量気泡コンクリート製外壁パネル１では、主筋３のパネル表裏面両側において第１及び第２の副筋６，７からなるメッシュ筋４を溶接等で取り付け、このメッシュ筋４に第１及び第２の線状補強部材８，９を予め格子状に結合して形成された格子部材５を溶接等で取り付けて配筋２を製造する。
この配筋２を防錆処理した後、図示しない型枠内に配置し、この型枠にコンクリートスラリーを打設する。養生後、内部に配筋２が設けられたパネルを離型し、オートクレーブする。
【００１３】
従って、第１の実施の形態によれば、複数の主筋３のパネル表裏面両側において第１及び第２の副筋６，７からなるメッシュ筋４を設け、このメッシュ筋４に第１の副筋６及び第２の副筋７にそれぞれ交差するように複数の線状補強部材８，９を設けたから、この線状補強部材８，９がメッシュ筋４の第１及び第２の副筋６，７同士の結合をより大きなものにするので、従来に比べてパネル１自体の強度を一層大きなものにできる。
また、第１の実施の形態では、線状補強部材８，９をパネル外縁部１Ａに設けたから、例えば、パネル１を搬送するに際し、仮に、パネル１の外縁部１Ａがトラックや他の建築資材に衝突する等して必要以上に衝撃力が加わることがあっても、パネル外縁部１Ａの破損をより効果的に防止することができる。特に、他の部材と衝突しやすいパネルコーナ部１Ｂに線状補強部材８，９を設ければ、効果的である。
【００１４】
さらに、線状補強部材８，９が予め格子状に結合されて格子部材５を構成し、この格子部材５をメッシュ筋４に設けたから、線状補強部材８，９のメッシュ筋４への線状補強部材８，９の接合に際して、線状補強部材８，９を個々にメッシュ筋４へ接合することなく格子部材５としてメッシュ筋４に接合するので、線状補強部材８，９の接合作業が容易となる。
また、線状補強部材８，９を金属棒から構成したから、メッシュ筋４を構成する副筋６，７も金属棒からなる格子状に形成されているので、メッシュ筋４と線状補強部材６，７との間で材料の共通化を図ることができる。
【００１５】
次に、本発明の第２の実施の形態の関連技術を図４及び図５に基づいて説明する。
第２の実施の形態の関連技術では、主筋の構成が第１の実施の形態と相違するもので、他の構成は第１の実施の形態と同じである。
これらの図において、軽量気泡コンクリート製外壁パネル１１の内部には配筋１２が設けられており、この配筋１２は、複数の主筋１３と、これらの主筋１３のパネル表裏面両側において設けられた前記メッシュ筋４と、これらのメッシュ筋４のパネル外縁部１Ａにそれぞれ設けられた前記格子部材５とを備えて構成されている。
【００１６】
主筋１３は第１の実施の形態の主筋３と同様にフラットバーから構成されている。３本の主筋１３が等間隔離れて配置されるとともに、これらの主筋１３の両端部及び中間部同士が主筋１３で接合されている。即ち、主筋１３は、「田」字状に組み合わされている。
この構成の第２の実施の形態の関連技術では、第１の実施の形態と同じ効果を奏することができる他に、複数の主筋１３を組み合わせて「田」字状に形成したから、配筋１２自体の強度をより強くすることができる。
【００１７】
次に、本発明の第２の実施の形態を図６及び図７に基づいて説明する。
第２の実施の形態では、パネルに開口部が設けられる点、この開口部に格子部材が設けられる点及び主筋の構成の点で第１の実施の形態と構成が相違するもので、他の構成は第１の実施の形態と同じである。
これらの図において、軽量気泡コンクリート製外壁パネル２１は、その中央部にパネル開口部２１Ａが形成されている。
軽量気泡コンクリート製外壁パネル２１の内部には配筋２２が設けられており、この配筋２２は、複数の主筋２３と、これらの主筋２３のパネル表裏面両側において設けられた前記メッシュ筋４と、これらのメッシュ筋４のパネル外縁部１Ａにそれぞれ設けられた前記格子部材５と、パネル開口部２１Ａの周縁に設けられた開口部用格子部材２５とを備えて構成されている。
【００１８】
主筋２３は、第１の実施の形態の主筋３と同様にフラットバーから構成されている。長方形を形成する複数の主筋２３にパネル開口部２１Ａを形成するための主筋２３が接続されている。
開口部用格子部材２５は、第１及び第２の線状補強部材８，９を予め結合して中央部に開口を有する長方形に形成したものであり、その開口はパネル開口部２１Ａに合うようにされている。
これらの線状補強部材８，９は、メッシュ筋４を構成する副筋６，７と同じ金属棒から形成され、かつ、それぞれ第１の副筋６及び第２の副筋７にそれぞれ交差するようにメッシュ筋４に設けられている。
図７に示される通り、第１の線状補強部材８はメッシュ筋４側に配置され、第２の線状補強部材９はパネルの外側に配置されている。
【００１９】
この構成の第２の実施の形態では、第１の実施の形態と同じ効果を奏することができる他に、パネル開口部２１Ａの周縁に線状補強部材８，９を設けた構造としたから、パネル開口部２１Ａに図示しない窓枠等を取り付ける際に、仮に、パネル開口部２１Ａの周縁に必要以上に衝撃力が加わっても、パネル周縁部２１Ａの破損をより効果的に防止することができる。
また、線状補強部材８，９が予め格子状に結合されて開口部用格子部材２５を構成し、この開口部用格子部材２５をメッシュ筋４に設けたから、メッシュ筋４への線状補強部材８，９の接合に際して、線状補強部材８，９を個々にメッシュ筋４へ接合することなく開口部用格子部材２５としてメッシュ筋４に接合するので、線状補強部材８，９の接合作業が容易となる。
【００２０】
なお、本発明は前述の実施の形態に限定されるものではなく、本発明の目的を達成できる範囲であれば次に示す変形例を含むものである。
例えば、メッシュ筋４のパネルコーナ部１Ｂに設けた格子部材５を略三角形としたが、この形状は特に限定されるものではなく、例えば、長方形、円形あるいは楕円形であってもよい。
【００２１】
また、第１の線状補強部材８及び／又は第２の線状補強部材９をメッシュ筋４の全面に設けるものであってもよい。
さらに、メッシュ筋４の構造は、第１の副筋６及び第２の副筋７に加えて第３の副筋を含むものでもよい。
また、第２の実施の形態では、格子部材５をメッシュ筋４に設けず、開口部用格子部材２５のみをメッシュ筋４に設けるものであってもよい。
【００２２】
【発明の効果】
以上の通り、本発明によれば、複数の主筋のパネル表裏面両側において第１及び第２の副筋からなるメッシュ筋を設け、このメッシュ筋に第１の副筋及び第２の副筋にそれぞれ交差するように複数の線状補強部材を設けたから、この線状補強部材がメッシュ筋の第１及び第２の副筋同士の結合をより大きなものにするので、従来に比べてパネル自体の強度を一層大きなものにできる。
【図面の簡単な説明】
【図１】本発明の第１の実施の形態にかかる軽量気泡コンクリート製外壁パネルの配筋構造の斜視図である。
【図２】前記軽量気泡コンクリート製外壁パネルの配筋構造の正面図である。
【図３】図２中、ＩＩＩ−ＩＩＩ  線に沿う矢視図である。
【図４】本発明の第２の実施の形態の関連技術にかかる軽量気泡コンクリート製外壁パネルの配筋構造の正面図である。
【図５】図４中、Ｖ−Ｖ線に沿う矢視図である。
【図６】本発明の第２の実施の形態にかかる軽量気泡コンクリート製外壁パネルの配筋構造の正面図である。
【図７】図６中、ＶＩＩ−ＶＩＩ  線に沿う矢視断面図である。
【符号の説明】
１，１１，２１    軽量気泡コンクリート製外壁パネル
１Ａ          パネル外縁部
１Ｂ          パネルコーナ部
２，１２，２２    配筋
３，１３，２３    主筋
４            メッシュ筋
５，２５        格子部材
６，７        副筋
８，９        第１及び第２の線状補強部材
【図１】
0003550448.tif 000002
【図２】
0003550448.tif 000003
【図３】
0003550448.tif 000004
【図４】
0003550448.tif 000005
【図５】
0003550448.tif 000006
【図６】
0003550448.tif 000007
【図７】
0003550448.tif 000008